(57)【特許請求の範囲】
【請求項１】
透明部材の外面のうち、裏面に可視光線を全反射させる第１被膜を形成し、
前記裏面と対向する表面のうち、少なくとも前記第１被膜と対向する位置に、可視光線の一部を反射させ一部を透過させる第２被膜を形成し、
前記透明部材の側面と前記表面との境界部、および、前記側面と前記裏面との境界部のうち、少なくとも何れか一方に形成した傾斜面によって構成された反射対象を設け、
前記反射対象が前記第１被膜及び前記第２被膜に写ることで形成される多重反射像が、前記第１被膜と前記第２被膜との間で複数回反射され、前記表面の側から視認できる多重反射パネル。
【請求項２】
前記反射対象が、多数の凹凸面を連続させて構成してある請求項１記載の多重反射パネル。
【請求項３】
前記反射対象が、前記第１被膜および前記第２被膜のうち少なくとも何れか一方を模様状に構成したものである請求項１または２に記載の多重反射パネル。
【請求項４】
前記第２被膜を前記表面の周縁部にのみ形成してある請求項１〜３の何れか一項に記載の多重反射パネル。
【請求項５】
前記傾斜面の近傍に前記傾斜面を直接照射する光源が配置してある請求項１〜４の何れか一項に記載の多重反射パネル。
【発明の詳細な説明】
【技術分野】
【０００１】
本発明は、各種表示板や各種物品の外装板に装飾機能を持たせるパネルとして使用でき、特に、携帯電話機を始めとする電気機器の情報表示部の外側に設置した際には、当該情報表示部の表示内容を視認可能としながら、これら電気機器に娯楽性を付与し得る多重反射パネルに関する。
【背景技術】
【０００２】
従来、本発明に関連するパネルとしては以下に示すものがあった。
この発明は、机やテーブルの上等に置かれる置物や、繁華街や飲食店等の看板等として使用される表示具に関するものであり、文字や図形などの装飾柄を多重に表示し、立体感を醸し出すように工夫したものである。この表示具では、光の透過のみならず反射効果を有する板ガラスと装飾柄が施された鏡とを所定の間隔をおいて配置してある。これにより、板ガラスと鏡との間で前記装飾柄が多重に反射して映し出されるため、この表示具を置き物や看板等として使用した場合に、観察者に立体感を強く印象付けることができる。
（特許文献１〔０００２〕及び〔００２５〕〔００４６〕〔００４７〕段落参照）
【０００３】
【特許文献１】特開２０００−４７６１３号公報
【発明の開示】
【発明が解決しようとする課題】
【０００４】
上記従来の表示具は、主に繁華街等の看板等として使用することを目的としており、装飾柄を多重に見せるために、前記鏡と前記板ガラスとを１０〜１５ｍｍ程度離間させて設ける必要があった。さらに、前記鏡と板ガラスの厚み等を考慮すると、表示具の厚みが約２５〜３０ｍｍとなり、比較的大掛かりな装置とならざるを得なかった。
また、当該表示具を構成するには、前記鏡および前記板ガラスの他、これらを所定の間隔に固定する枠体等も必要である。よって、装置を構成する部品点数が増加する上に、これら部品を組立てる工数も必要となって、当該表示具の製造コストを低減するにも一定の限界があった。
【０００５】
そこで、本発明は上記実状に鑑み、構成が簡単でコンパクトでありながら多重反射の視覚的効果が高いパネルを提供することを目的とする。
【課題を解決するための手段】
【０００６】
（特徴構成１）
本発明の多重反射パネルは、透明部材の外面のうち、裏面に可視光線を全反射させる第１被膜を形成し、前記裏面と対向する表面のうち、少なくとも前記第１被膜と対向する位置に、可視光線の一部を反射させ一部を透過させる第２被膜を形成し、前記透明部材の側面と前記表面との境界部、および、前記側面と前記裏面との境界部のうち、少なくとも何れか一方に形成した傾斜面によって構成された反射対象を設け、前記反射対象が前記第１被膜及び前記第２被膜に写ることで形成される多重反射像が、前記第１被膜と前記第２被膜との間で複数回反射され、前記表面の側から視認できるよう構成した点に特徴を有する。尚、上記可視光線の一部を反射させ一部を透過させる第２被膜は、所謂ハーフミラーである。
【０００７】
（作用効果）
本構成の多重反射パネルは、反射対象を多重反射させる第１被膜および第２被膜を、透明部材の裏面と、これに対向する表面とに各別に形成するものであり、従来の多重反射パネルのように二枚の部材を枠体によって固定するものではない。よって、多重反射パネルの構成が簡単かつコンパクトであり、従来技術の如く繁華街の看板のみならず、各種物品の外装パネルや各種電気機器の表示パネルとして用いることができ、幅広い適用範囲を有する多重反射パネルを得ることができた。
【０００８】
また、傾斜面を備えておけば、外部からの照射光によって透明部材の側面と当該傾斜面との間で輝度の差が生じる。この輝度の差が第１被膜と第２被膜との間で複数回反射して、視覚的効果を生む。特に、傾斜面が光って輝度を増しているときには、多重反射像が明瞭に見え、多重反射パネルの娯楽性を向上させることができる。
例えば、当該傾斜面を表面の側に設けると、外部からの光によって当該傾斜面の輝度が増す。これが透明部材の内部を伝達して第１被膜と第２被膜との間で多重反射像を形成する。このように、表面の側に傾斜面を設けた場合には、暗所での使用等を除いて殆どの使用環境下で傾斜面を光らせることができるため、多重反射パネルの視覚的効果を非常に発揮させ易くなる。
一方、傾斜面を裏面の側に形成した場合でも、当該傾斜面には多重反射パネルの表面からの入射光が透明部材の内部を通って照射される。また、多重反射パネルの裏側に各種の光源を設けてあるような場合には、当該光源の光によって傾斜面を直接照射することができる。よって、本構成であっても、傾斜面による多重反射像を形成することができる。
【０００９】
【００１０】
（特徴構成２）
本発明の多重反射パネルは、前記反射対象が、多数の凹凸面を連続させて構成することができる。
【００１１】
【００１２】
（特徴構成３）
本発明の多重反射パネルは、前記反射対象を、前記第１被膜および前記第２被膜のうち少なくとも何れか一方を模様状に構成したもので構成することができる。
【００１３】
（作用効果）
本構成のごとく、反射対象として模様を付したものを設けることで、当該模様が双方の被膜での反射像と組み合わさって複雑な多重反射像を形成することができる。これにより、視覚的効果を高めて娯楽性に富んだ多重反射パネルを得ることができる。
【００１４】
（特徴構成４）
本発明の多重反射パネルは、前記第２被膜を前記表面の周縁部にのみ形成することができる。
【００１５】
（作用効果）
第２被膜は、可視光線の一部を反射する所謂ハーフミラーとして機能する。よって、当該第２被膜を形成した領域を斜めから見ると、背景が写り込んで表示内容が視認し難い場合がある。しかし、第２被膜を前記表面の周縁部にのみ形成することで、多重反射パネルの中央部の視認性を確保しつつ、周縁部においては奥行き感を現出させ、多重反射パネルの視覚的効果を高めることができる。
【００１６】
（特徴構成５）
本発明の多重反射パネルは、前記傾斜面の近傍に前記傾斜面を直接照射する光源が配置することができる。
【００１７】
【発明を実施するための最良の形態】
【００１８】
（概要）
本発明の多重反射パネルＰ（以下、単に「パネルＰ」と称する）は、反射対象を多重に反射させる視覚的効果を有し、各種表示板や各種物品の外装板に装飾機能を持たせるパネルとして使用するものである。特に、携帯電話機を始めとする電気機器の情報表示部の外側に設置した際には、当該情報表示部の表示内容を視認可能としながらこれら電気機器に娯楽性を付与することができる。
以下、本発明のパネルＰを図面に基づいて説明する。
【００１９】
（第１の実施形態）
本実施形態では、当該パネルＰを携帯電話機１（以下、単に「電話機１」と称する）の外装に用いた場合を示す。電話機１は、単に通話やメール通信を行うばかりでなく、各種情報の収集・記録端末として機能し、その使用頻度は非常に高い。本発明は、電話機１の外観の視覚的効果を高め、電話機１の使用に際して娯楽性を付与しようとするものである。
【００２０】
図１に示すごとく、当該パネルＰは電話機１の正面下方に設けてある。当該部分は、特にカメラ機能や時計表示機能等を有するものではなく、装飾機能のみを有するものとして構成する。
図２に示すごとく、当該パネルＰは、基本構造をなす透明部材３と、当該透明部材３に取り付けられる第１被膜Ｍ１および第２被膜Ｍ２を備える。
第１被膜Ｍ１は可視光線を全反射させる機能を備え、透明部材３の外面のうち裏面３ａに形成する。一方、第２被膜は、可視光線の一部を反射させ一部を透過させる所謂ハーフミラーとしての機能を備え、前記裏面３ａと対向する表面３ｂのうち、少なくとも前記第１被膜Ｍ１と対向する位置に形成する。
さらに、前記第１被膜Ｍ１と第２被膜Ｍ２との間で複数回反射され、前記表面３ｂの側から視認できる反射対象Ｔを透明部材３の内部および外面のうち少なくとも何れかの部位に設ける。ここで、内部に設ける場合とは、例えば、反射対象Ｔとしてのロゴマーク４等を透明部材３に埋没させて配置する場合である。また、外面に設ける場合とは、反射対象Ｔを透明部材３の外面に貼着する場合等である。図２では、反射対象Ｔを透明部材３と第１被膜Ｍ１との間に設けた例を示す。ここで第１被膜Ｍ１は前記裏面３ａの全面に形成してもよいし、後述するように部分的に形成しても良い。
尚、反射対象Ｔは、第２被膜Ｍ２と透明部材３との間に設けてもよい。
【００２１】
透明部材３は、例えば、樹脂又はガラス等によって構成する。多重反射像Ｚを形成できる透明な部材であれば、着色された部材を用いることもできる。
第１被膜Ｍ１・第２被膜Ｍ２・反射対象Ｔを透明部材３に設けるには、例えば図２に示すごとく、転写シートＳを使用する。勿論、この他にも、透明部材３に各被膜等を直接加工するものであってもよい。
【００２２】
第１被膜Ｍ１を設けるための転写シートＳと、第２被膜Ｍ２を設けるための転写シートＳとでは、構成上の大きな差はない。これらの転写シートＳの例として、各基体シートＳａの上に、順次、剥離層を全面に塗布した後、第１被膜Ｍ１または第２被膜Ｍ２を構成する金属層を必要な範囲に設けた後、必要に応じて任意のロゴマーク４や模様等からなる反射対象Ｔを付すための装飾層を設け、さらに部分または全面に接着層を設けたものが挙げられる。
【００２３】
基体シートＳａは、ポリプロピレン系樹脂・ポリエチレン系樹脂・ポリエステル系樹脂等の樹脂シート等を使用できる。
剥離層は透明であって、アクリル系樹脂・ビニル系樹脂・ウレタン系樹脂等をグラビア印刷・オフセット印刷等で印刷することで形成できる。
第１被膜Ｍ１を構成する金属層は、アルミニウム等の金属を蒸着させて形成できる。
第２被膜Ｍ２を構成する金属層は、アルミニウム等の金属を薄く蒸着させて形成できる。
装飾層は、ポリエステル系樹脂・アクリル系樹脂等の樹脂バインダーに通常の顔料・染料等の着色剤を少量含ませたものをグラビア印刷・オフセット印刷等で印刷することで形成できる。
接着剤は、アクリル系樹脂・ビニル系樹脂・ウレタン系樹脂の樹脂をグラビア印刷・オフセット印刷等で印刷することで形成できる。
【００２４】
透明部材３にこれらの転写シートＳをセットし、熱を加えて三者を一体化させた後に、各々の基体シートＳａを剥離層から剥がすことにより、第１被膜Ｍ１と第２被膜Ｍ２とが透明部材３に転写される。両方の転写シートＳから一度に転写するのが困難な場合には、各々の転写シートＳから別々に転写してもよい。また、予めこれらの転写シートＳを装着した金型内に透明部材３となる樹脂を注入して三者を一体化させた後に基体シートＳａを剥がすことによっても第１被膜Ｍ１と第２被膜Ｍ２とを透明部材３に転写させることができる。
第２被膜Ｍ２を形成する場合においては、最終的に透明部材３の表面３ｂの側の最外面にくる剥離層にウレタン等のＵＶ硬化型樹脂を採用することによって、透明部材３の表面３ｂの側の最外面にハードコート性を持たせることもできる。
【００２５】
なお、転写シートＳの代わりに、インサートシートを使用することもできる。インサートシートは転写シートＳの剥離層を省略したものであって、透明部材３とインサートシートとが一体化した後にも基体シートＳａが透明部材３の上に残存されるものである。
【００２６】
透明部材３に第１被膜Ｍ１および第２被膜Ｍ２を形成することで、パネルＰを表面３ｂの側から見たとき、前記ロゴマーク４や任意の模様が双方の被膜の間で複数回に亘って反射して見える。このとき、反射対象Ｔが第２被膜Ｍ２で反射される度に、光の一部が外部に放出され、多重反射像Ｚの見え方が次第に薄くなっていくから、パネルＰに奥行きがあるような視覚的効果を得ることができる。
このように、一枚の透明部材３で構成できる本発明のパネルＰは構造が極めて簡単且つコンパクトであり、多重反射の視覚的効果を備えた外装パネル等として任意の物品に適用可能である。
【００２７】
（第２の実施形態）
本発明のパネルＰは、各種情報表示部２を構成する部材として用いることもできる。
図３に、当該パネルＰを電話機１の情報表示部２に使用した例を示す。図４には、当該パネルＰの基本的な構造を示す。当該パネルＰは情報表示部２の最も外側の部材として用いる。透明部材３は、液晶表示された内容を視認することができるものであれば着色されていてもよい。
【００２８】
この透明部材３の裏面３ａに形成する第１被膜Ｍ１は、情報表示部２の視認性を損なわないように、前記裏面３ａの一部にのみ形成する。本実施形態では、図３および図４に示すごとく、パネルＰの周縁部にのみ第１被膜Ｍ１を形成し、パネルＰの中央部は透明のまま残存させる例を示す。この場合のパネルＰも、上記第１の実施形態の場合と略同じ手法で作製することができる。
【００２９】
本発明のパネルＰにおいて、視覚的効果を得るための反射対象Ｔとしては、上記ロゴマーク４の他に、例えば、図５乃至図７に示すように、透明部材３の周縁部に多重反射像Ｚを形成する傾斜面３ｃを設けると効果的である。
具体的には、当該傾斜面３ｃは、透明部材３の側面３ｄと前記表面３ｂとの境界部に設けたり（図５）、透明部材３の側面３ｄと前記裏面３ａとの境界部に設ける（図６）。また、これら双方の位置に設けてもよい。
【００３０】
例えば、図５に示すごとく表面３ｂの側に傾斜面３ｃを設けると、電話機１の使用時に外部からの光によって当該傾斜面３ｃの輝度が増す。これが透明部材３の内部を伝達して第１被膜Ｍ１と第２被膜Ｍ２との間で多重反射像Ｚを形成する。即ち、傾斜面３ｃの像が第１被膜Ｍ１によって反射され、その反射光の一部が第２被膜Ｍ２を通過して１回目の反射像Ｚ１として視認できる。第２被膜Ｍ２の位置では、一部の光が第１被膜Ｍ１の側に反射され、さらに第１被膜Ｍ１で反射されたのち、さらに一部の光が第２被膜Ｍ２を透過して、１回目の反射像Ｚ１と隣接した２回目の反射像Ｚ２として視認できる。このように、表面３ｂの側に傾斜面３ｃを設けた場合には、暗所での使用等を除いて殆どの使用環境下で傾斜面３ｃを光らせることができるため、パネルＰの視覚的効果を非常に発揮させ易くなる。
【００３１】
一方、図６に示すごとく、前記傾斜面３ｃを裏面３ａの側に形成した場合であっても、当該傾斜面３ｃにはパネルＰの表面３ｂからの入射光が透明部材３の内部を通って照射される。よって、本構成であっても、傾斜面３ｃによる多重反射像Ｚ（Ｚ１〜Ｚ３）を形成することができる。特に、電話機１の外観デザイン等の都合で、パネルＰの表面３ｂの周縁部に傾斜面３ｃを形成したくない場合には、当該裏面３ａの側に形成するのが好ましい。これら傾斜面３ｃは、何れの方向から入射する光によっても効率的に輝度を高めるために、ある程度の粗面に形成しておくのも好ましい。
【００３２】
第２被膜Ｍ２は、第１被膜Ｍ１とは異なり、透明部材３の全面に形成してもよいし、一部にのみ形成してもよい。
一部に形成する場合には、前記第１被膜Ｍ１と対向する位置に形成する。透明部材３の全面に第２被膜Ｍ２を形成した場合には、情報表示部２を斜め方向から見たとき、背景が写り込み易くなり、他人に情報表示部２を見られ難くするという効果が得られる。
一方、例えば、第２被膜Ｍ２を透明部材３の周縁部にのみ形成し、中央部に第２被膜Ｍ２を形成しないものとすれば、何れの方向から見ても背景が写り込み難くなり、情報表示部２の表示内容が視認し易いものとなる。
【００３３】
（第３の実施形態）
図７には、前記傾斜面３ｃを裏面３ａの側に形成した場合の他の実施形態を示す。ここでは、前記傾斜面３ｃの照明光として、携帯電話の内部に設けたＬＥＤあるいはバックライト５を用いる。このように内蔵の照明光を利用する場合には、使用場所に拘らず暗所であっても前記傾斜面３ｃを光らせることが出来る。特に、周囲が暗い場面においては、パネルＰに形成される多重反射像Ｚ（Ｚ１〜Ｚ３）は非常に明瞭で美しいものとなる。特に、ＬＥＤ等の専用の照明を設ける場合には、色彩を任意に選択できる。このように、本構成の場合には、豊かな視覚的効果を発揮させることができる。
【００３４】
（第４の実施形態）
上記実施形態では、前記表面３ｂと前記側面３ｄとの境界部等に形成した傾斜面３ｃが多重反射像Ｚを形成するものであった。この場合には、多重反射像Ｚは、例えば直線状の模様の繰り返しとなる。しかし、図８に示すごとく、例えば格子模様のような任意の模様６を第１被膜Ｍ１に設けることで、より複雑な多重反射像Ｚを形成することができる。この模様６は、例えば、可視光線を全反射させる領域と、当該領域よりも反射率の少ない領域とを格子状に配置して構成する。この反射率の少ない領域は、例えば、バックライト５の光がパネルＰの前面の側に透過可能に、あるいは、透過不能になるように任意に構成する。要するに、反射像が視覚的効果を高めるものであれば何れの構成であっても良い。
また、当該模様６は、第１被膜Ｍ１に形成するものに限られず、第２被膜Ｍ２に形成するものであってもよい。また、第１被膜Ｍ１と第２被膜Ｍ２との双方に形成してもよい。
以上のごとく、本構成のパネルＰであれば、より複雑な多重反射像Ｚを得ることができ、娯楽性に富んだ情報表示部２を得ることができる。
【００３５】
（第５の実施形態）
多重反射像Ｚを形成する反射対象Ｔとしては、例えば、図９に示すごとく、前記表面３ｂに第３被膜Ｍ３を設けて構成することができる。ここでは、第３被膜Ｍ３を、第２被膜Ｍ２と並べて形成した例を示す。用いる透明部材３は、前述のような傾斜面３ｃを備えておらず、表面３ｂおよび裏面３ａ・側面３ｄを有する通常の板状のものである。その裏面３ａに、最外周縁部を除いて上記実施形態と同様の第１被膜Ｍ１を形成する。この最外周縁部は、バックライト５からの光を透過させる窓部７として機能する。
【００３６】
一方、透明部材３の表面３ｂのうち、前記第１被膜Ｍ１にほぼ対向する位置に第２被膜Ｍ２を形成する。そして、前記表面３ｂの最外周縁部には、多重反射像Ｚを形成する第３被膜Ｍ３を前記第２被膜Ｍ２と並べて形成する。ただし、図９に示した例の他に、第３被膜Ｍ３は、第２被膜Ｍ２によって覆われるように形成してもよいし、第３被膜Ｍ３が第２被膜Ｍ２を覆うように形成してもよい。当該第３被膜Ｍ３は、バックライト５からの光、あるいは、外部から透明部材３に入射したのち第１被膜Ｍ１で反射した光によって輝度を増すものであれば、何れの成分の被膜であっても良い。
【００３７】
本構成であれば、まず、前記窓部７を介して入射するバックライト５の光をパネルＰの表面３ｂの側から視認できる。そして、この光は前記第１被膜Ｍ１及び前記第２被膜Ｍ２との間で多重反射像Ｚ１〜Ｚ３を形成する。さらに、前記窓部７から入射した光が前記第３被膜Ｍ３に照射され、輝度を増した第３被膜Ｍ３が多重反射像Ｚ４，Ｚ５を形成する。
【００３８】
図９に示すごとく、前記窓部７の幅と前記第３被膜Ｍ３の幅とを所定の寸法に設定しておけば、パネルＰの視認角度を変えることで、前記窓部７に基く多重反射像Ｚ１〜Ｚ３と前記第３被膜Ｍ３に基く多重反射像Ｚ４，Ｚ５とが交互に配置された像を見ることができる。よって、視覚的効果の高い多重反射パネルＰを得ることができる。
【００３９】
尚、第３被膜Ｍ３の形成位置は、前記表面３ｂに限られるものではない。例えば、裏面３ａの第１被膜Ｍ１に並べて第３被膜Ｍ３を設けてもよい。この場合には、第１被膜Ｍ１の一部を所定形状に切り抜いた部分に光を透過可能な第３被膜Ｍ３を設けて、これをバックライト５の光で照射するように構成したり、任意の形状・色を有する第３被膜Ｍ３を第１被膜Ｍ１の表側に設けることができる。
また、これらの第３被膜Ｍ３を形成する場合としては、図９に示すごとく、第１被膜Ｍ１及び第２被膜Ｍ２を透明部材３の周縁部にのみ形成する場合に限られず、第１被膜Ｍ１及び第２被膜Ｍ２を透明部材３の全面に形成する場合であってもよい。
このような意味において前述のロゴマーク４も当該第３被膜Ｍ３に属する。要するに、像を反射させる第１被膜Ｍ１および第２被膜Ｍ２に加えて、多重反射像Ｚを形成可能な第３被膜Ｍ３を、前記表面３ｂあるいは前記裏面３ａのうち少なくとも何れか一方の側に形成することで、より趣きのある視覚的効果を有するパネルＰを得ることができる。
【００４０】
（第６の実施形態）
図５あるいは図６では、透明部材３の表面３ｂと側面３ｄとの境界部等に平坦な傾斜面３ｃを構成する例を示した。しかし、図１０に示すごとく、反射対象Ｔとしての傾斜面３ｃを多数の凹凸面３ｅを連続させて構成してもよい。ここでは、略円筒状の凹凸面３ｅを形成した例を示す。本構成であれば、多重反射像Ｚがより複雑なものとなり、趣の異なるパネルＰを得ることができる。
ただし、このような凹凸面３ｅをパネルＰの何れの面に設けるかは任意である。当該凹凸面３ｅの外観が使用者に好まれる場合には、表面３ｂの側に設けると良い。一方、外観の意匠性よりも、バックライト５の光をより強く照射させたい等、機能性を重視する場合には裏面３ａの側に設けると良い。
【産業上の利用可能性】
【００４１】
本発明の多重反射パネルＰは各種表示板や各種物品の外装板に装飾機能を持たせるパネルとして使用できる他、携帯電話機１やポータブル音楽再生機器、あるいは、電気製品のリモコンの情報表示部等、各種機器に用いることができる。
【図面の簡単な説明】
【００４２】
【図１】本発明に係る多重反射パネルの使用例を示す図
【図２】本発明に係る多重反射パネルの構造を示す図
【図３】本発明に係る多重反射パネルの他の使用例を示す図
【図４】本発明に係る多重反射パネルの他の構造を示す図
【図５】多重反射パネルの一実施形態を示す一部拡大断面図
【図６】多重反射パネルの一実施形態を示す一部拡大断面図
【図７】多重反射パネルの一実施形態を示す一部拡大断面図
【図８】多重反射パネルの一実施形態を示す分解斜視図
【図９】多重反射パネルの一実施形態を示す一部拡大断面図
【図１０】多重反射パネルの一実施形態を示す斜視図
【符号の説明】
【００４３】
２    情報表示部
３    透明部材
３ａ  裏面
３ｂ  表面
３ｃ  傾斜面
３ｄ  側面
６    模様
Ｍ１  第１被膜
Ｍ２  第２被膜
Ｍ３  第３被膜
Ｐ    多重反射パネル
Ｔ    反射対象
Ｚ    多重反射像
【図１】
0004690794.tif 000002
【図２】
0004690794.tif 000003
【図３】
0004690794.tif 000004
【図４】
0004690794.tif 000005
【図５】
0004690794.tif 000006
【図６】
0004690794.tif 000007
【図７】
0004690794.tif 000008
【図８】
0004690794.tif 000009
【図９】
0004690794.tif 000010
【図１０】
0004690794.tif 000011